(57)【要約】【課題】簡易かつ安価な構成で、モジュラーコネクタに挿入された状態を維持することができるモジュラープラグを提供する。【解決手段】モジュラーコネクタに挿入された状態を維持するためのタブ３を備えるモジュラープラグ１において、タブ３を、基端部３ａから先端部３ｂに亘って設けられた一又は複数のスリットＳによりタブ３を分割することによって形成された複数の分割タブ３１により構成した。【選択図】図１
2009140819.tif 000002
【特許請求の範囲】
【請求項１】
モジュラーコネクタに挿入された状態を維持するためのタブを備えるモジュラープラグにおいて、
前記タブは、基端部から先端部に亘って設けられた一又は複数のスリットにより当該タブを分割することによって形成された複数の分割タブにより構成されていることを特徴とするモジュラープラグ。
【発明の詳細な説明】
【技術分野】
【０００１】
本発明は、モジュラープラグに関する。
【背景技術】
【０００２】
従来、電話回線などで使用されるＲＪ−１１モジュラージャックや、インターネットなどを行う際に使用されるＲＪ−４５モジュラージャックなどが知られている。
これらのモジュラージャックには、モジュラーコネクタに挿入された状態を維持するための（すなわち、ロックをかけるための）タブが備えられている。このタブは、モジュラージャックの筐体から突出しており、基端部から先端部までの距離が長いため、経時劣化によって折れ易い、他の物に引っかかって折れ易い、という問題がある。タブは基端部から折れることが多く、基端部から折れてしまうとロックがかからなくなってしまうため、モジュラージャックがモジュラーコネクタから抜け易くなったり、接触不良を起こしたりすることになる。
【０００３】
そこで、例えば、タブが折れてしまった場合に使用する代替用冶具、留め具、ロック金具などが提案されている（例えば、特許文献１〜３参照）。
また、タブが他の物に引っかかって折れることがないよう、タブの先端部をケーブルに沿って摺動自在な筒部材に固定する技術も提案されている（例えば、特許文献４参照）。
【特許文献１】特開２００５−１４２１２７号公報
【特許文献２】特開２００４−１５８４１９号公報
【特許文献３】特開２００１−６８２１３号公報
【特許文献４】特開平１１−１２６６５３号公報
【発明の開示】
【発明が解決しようとする課題】
【０００４】
しかしながら、特許文献１〜３記載の代替用冶具、留め具、ロック金具などの別部材を使用する手法は、これらの別部材を入手しなければならず、煩わしいという問題がある。また、これらの別部材はモジュラージャックと別体であるため、紛失し易いという問題もある。
また、特許文献４記載の技術では、既存のモジュラージャックに、ケーブルに沿って摺動自在な筒部材といった追加部材を付加しなければならず、また、タブの先端を固定しなければならないため、構成が複雑である、コストがかかる、という問題がある。
【０００５】
本発明の課題は、簡易かつ安価な構成で、モジュラーコネクタに挿入された状態を維持することができるモジュラープラグを提供することにある。
【課題を解決するための手段】
【０００６】
上記課題を解決するために、請求項１に記載の発明は、
モジュラーコネクタに挿入された状態を維持するためのタブを備えるモジュラープラグにおいて、
前記タブは、基端部から先端部に亘って設けられた一又は複数のスリットにより当該タブを分割することによって形成された複数の分割タブにより構成されていることを特徴とする。
【発明の効果】
【０００７】
本発明によれば、モジュラーコネクタに挿入された状態を維持するためのタブを備えるモジュラープラグにおいて、タブは、基端部から先端部に亘って設けられた一又は複数のスリットにより当該タブを分割することによって形成された複数の分割タブにより構成されている。
したがって、タブに他の物が引っかかった際、複数の分割タブのうちの最も大きな力がかかる分割タブが折れることになるため、一の分割タブが折れても他の分割タグによってモジュラーコネクタに挿入された状態を維持することができる。
【発明を実施するための最良の形態】
【０００８】
以下、図を参照して、本発明にかかるモジュラープラグの最良の形態を詳細に説明する。なお、本発明の範囲は、図示例に限定されない。
【０００９】
図１に、本発明のモジュラープラグ１の正面斜視図を示す。
なお、以下の説明では、モジュラープラグ１において、モジュラージャックに挿入される側を前側（正面側）とし、前側に対向する、ケーブルＣが設けられた側を後側とするとともに、モジュラージャックに挿入された際に上になる側を上側、下になる側を下側とする。そして、前後方向及び上下方向に垂直な方向を左右方向とする。
【００１０】
モジュラープラグ１は、例えば、８極８芯のＲＪ−４５タイプのモジュラープラグである。モジュラープラグ１は、モジュラージャック（例えば、８極８芯のＲＪ−４５タイプのモジュラージャック）に挿入及び抜出可能に構成されている。
【００１１】
具体的には、モジュラープラグ１は、例えば、図１に示すように、本体部２と、本体部２に設けられたタブ３と、などを備えて構成される。
【００１２】
本体部２は、例えば、略直方体形状に形成されている。本体部２の前面下側から下面前側に亘って８つのスリット２１が設けられており、各スリット２１内には端子２２が備えられている。本体部２の後面にはケーブルＣが備えられている。
【００１３】
タブ３は、例えば、タブ３の基端部３ａから先端部３ｂに亘って設けられた一のスリットＳによって、分割されている。すなわち、タブ３は、例えば、一のスリットＳによりタブ３を分割することによって形成された２つの分割タブ３１により構成されている。
【００１４】
タブ３は、例えば、モジュラープラグ１がモジュラージャックに挿入された状態を維持するためのものである。すなわち、タブ３は、モジュラープラグ１がモジュラージャックに挿入されると、タブ３（分割タブ３１）の付勢力（上方向への力）によって、モジュラープラグ１がモジュラージャックに挿入された状態を維持（ロック）する。そして、タブ３（分割タブ３１）は、モジュラープラグ１がモジュラージャックに挿入された状態において、上側から押圧されると、当該ロックを解除するため、モジュラープラグ１をモジュラージャックから抜出することできることとなる。
【００１５】
以上説明した本発明のモジュラープラグ１によれば、モジュラーコネクタに挿入された状態を維持するためのタブ３を備えるモジュラープラグ１において、タブ３は、基端部３ａから先端部３ｂに亘って設けられた一のスリットＳによりタブ３を分割することによって形成された２つの分割タブ３１により構成されている。
したがって、タブ３に他の物が引っかかった際、２つの分割タブ３１のうちの最も大きな力がかかる分割タブ３１が折れることになるため、一の分割タブ３１が折れても他の分割タブ３１によってモジュラーコネクタに挿入された状態を維持することができる。
【００１６】
なお、本発明は、上記した実施の形態のものに限るものではなく、その要旨を逸脱しない範囲で適宜変更可能である。
【００１７】
タブ３には複数のスリットＳが設けられていても良い。無論、スリットＳの個数に応じて、タブ３を構成する分割タブ３１の個数は変化する。
【００１８】
モジュラープラグ１は、８極８芯のＲＪ−４５タイプのモジュラープラグに限ることはなく、モジュラープラグ１は、モジュラーコネクタに挿入された状態を維持するためのタブ３を備えるものであれば任意であり、例えば、図２に示すように、６極２芯のＲＪ−１１タイプのモジュラープラグなどであっても良い。
【図面の簡単な説明】
【００１９】
【図１】本発明のモジュラープラグ（８極８芯のＲＪ−４５タイプのモジュラープラグ）の正面斜視図である。
【図２】本発明のモジュラープラグ（６極２芯のＲＪ−１１タイプのモジュラープラグ）の正面斜視図である。
【符号の説明】
【００２０】
１  モジュラープラグ
３  タブ
３ａ  基端部
３ｂ  先端部
３１  分割タブ
Ｓ  スリット
【図１】
2009140819.tif 000003
【図２】
2009140819.tif 000004